(57)【要約】【課題】電話回線の使用時間を短くして通信料金を抑えつつ、宅外の通信端末からの遠隔操作の指示に応じて宅内の機器を制御する制御装置、制御システム、制御方法、及び制御プログラムを提供する。【解決手段】通信端末１１は、制御装置１２との電話回線を接続する（Ｓ１１、Ｓ１５、Ｓ１７）。通信端末１１の利用者は、通信端末１１に対してパスワードを入力する。制御装置１２は、通信端末１１の電話番号及びパスワードが許可リストに格納されている場合に、通信端末１１による家電機器１３の制御を許可する（Ｓ１３、Ｓ２５）。電話回線は切断される（Ｓ３１）。通信端末１１と制御装置１２との間で、ＩＰ網を介したセッションが確立される（Ｓ３３、Ｓ３５）。制御装置１２は、通信端末１１から送信された制御内容に基づき、家電機器１３を制御する（Ｓ４１、Ｓ４３）。【選択図】図４
2012160799.tif 000002
【特許請求の範囲】
【請求項１】
ＩＰ網及び電話網を介して通信端末と通信を行い、前記通信端末からの指示に応じて機器を制御する制御装置であって、
制御部と、前記制御部への命令を記憶したメモリとを備え、前記命令が実行されることにより、
前記通信端末との間の電話回線を接続する接続ステップと、
前記接続ステップにおいて前記通信端末との間の前記電話回線を接続した後、前記通信端末のユーザを認証するための認証情報を、接続した前記電話回線を介して前記通信端末から取得する第一取得ステップと、
前記第一取得ステップにおいて取得した前記認証情報に基づいて、前記通信端末による前記機器の制御が可能か否かを判断する第一判断ステップと、
前記機器を制御するための指示を、前記ＩＰ網を介して前記通信端末から受信する受信ステップと、
前記第一判断ステップにおいて前記機器の制御が可能と判断した場合に、前記受信ステップにおいて受信した前記指示に基づき、前記機器を制御する制御ステップと
を実行することを特徴とする制御装置。
【請求項２】
前記制御部は、
前記第一判断ステップにおいて、前記通信端末による前記機器の制御が可能と判断した場合に、前記ＩＰ網における前記制御装置のアドレス情報を、前記電話網又は前記ＩＰ網を介して前記通信端末に対して通知する通知ステップを更に実行することを特徴とする請求項１に記載の制御装置。
【請求項３】
前記制御部は、
前記通信端末に割り当てられた電話番号を、接続した前記電話回線を介して取得する第二取得ステップと、
前記第二取得ステップにおいて取得した前記電話番号に基づいて、前記通信端末による前記機器の制御が可能か否かを判断する第二判断ステップと
を更に実行し、
前記制御ステップを実行する場合において、
前記第二判断ステップにおいて前記機器の制御が可能と判断した場合に、前記機器を制御することを特徴とする請求項１又は２に記載の制御装置。
【請求項４】
前記制御部は、
前記ＩＰ網における前記通信端末のアドレス情報を、前記通信端末から取得する第三取得ステップを更に実行し、
前記通知ステップを実行する場合において、
前記第三取得ステップにおいて取得した前記アドレス情報を使用し、前記ＩＰ網を介して前記通信端末に対して、前記制御装置のアドレス情報を通知することを特徴とする請求項２に記載の制御装置。
【請求項５】
前記制御部は、
前記ＩＰ網を介して前記通信端末と通信を行うことによって、前記通信端末に固有の固有情報を取得する第四取得ステップと、
前記第四取得ステップにおいて取得した前記固有情報に基づいて、前記通信端末による前記機器の制御が可能か否かを判断する第三判断ステップと、
を実行し、
前記制御ステップを実行する場合において、
前記第三判断ステップにおいて前記機器の制御が可能と判断した場合に、前記機器を制御することを特徴とする請求項１から４のいずれかに記載の制御装置。
【請求項６】
前記制御部は、
前記通信端末の前記固有情報を、接続した前記電話回線を介して取得する第五取得ステップを備え、
前記第三判断ステップを実行する場合において、
前記第四取得ステップにおいて前記ＩＰ網を介して取得した前記固有情報と、前記第五取得ステップにおいて前記電話回線を介して取得した前記固有情報とが一致する場合に、前記通信端末による前記機器の制御が可能と判断することを特徴とする請求項５に記載の制御装置。
【請求項７】
ＩＰ網及び電話網を介して通信を行うことが可能な通信端末と、前記ＩＰ網及び前記電話網を介して前記通信端末と通信を行い、前記通信端末からの指示に応じて機器を制御する制御装置とを備えた制御システムであって、
前記制御装置は、
制御部と、前記制御部への命令を記憶したメモリとを備え、前記命令が実行されることにより、
前記通信端末との間の電話回線を接続する第一接続ステップと、
前記第一接続ステップにおいて前記通信端末との間の前記電話回線を接続した後、前記通信端末のユーザを認証するための認証情報を、接続した前記電話回線を介して前記通信端末から取得する第一取得ステップと、
前記第一取得ステップにおいて取得した前記認証情報に基づいて、前記通信端末による前記機器の制御が可能か否かを判断する第一判断ステップと、
前記機器を制御するための指示を、前記ＩＰ網を介して前記通信端末から受信する受信ステップと、
前記第一判断ステップにおいて前記機器の制御が可能と判断した場合に、前記受信ステップにおいて受信した前記指示に基づき、前記機器を制御する制御ステップと
を実行し、
前記通信端末は、
制御部と、前記制御部への命令を記憶したメモリとを備え、前記命令が実行されることにより、
前記制御装置との間の電話回線を接続する第二接続ステップと、
前記第二接続ステップにおいて前記制御装置との間の前記電話回線を接続した後、前記ユーザから前記認証情報を受け付ける受付ステップと、
前記受付ステップにおいて受け付けた前記認証情報を、前記制御装置に対して通知する通知ステップと、
前記通知ステップにおいて通知した前記認証情報に基づき、前記制御装置において、前記機器の制御が可能と判断された場合に、前記機器を制御する指示を、前記ＩＰ網を介して前記制御装置に対して送信する送信ステップと
を実行することを特徴とする制御システム。
【請求項８】
ＩＰ網及び電話網を介して通信端末と通信を行い、前記通信端末からの指示に応じて機器を制御する制御方法であって、
前記通信端末との間の電話回線を接続する接続ステップと、
前記接続ステップにおいて前記通信端末との間の前記電話回線を接続した後、前記通信端末のユーザを認証するための認証情報を、接続した前記電話回線を介して前記通信端末から取得する第一取得ステップと、
前記第一取得ステップにおいて取得した前記認証情報に基づいて、前記通信端末による前記機器の制御が可能か否かを判断する第一判断ステップと、
前記機器を制御するための指示を、前記ＩＰ網を介して前記通信端末から受信する受信ステップと、
前記第一判断ステップにおいて前記機器の制御が可能と判断した場合に、前記受信ステップにおいて受信した前記指示に基づき、前記機器を制御する制御ステップと
を備えたことを特徴とする制御方法。
【請求項９】
ＩＰ網及び電話網を介して通信端末と通信を行い、前記通信端末からの指示に応じて機器を制御するコンピュータに実行させるための制御プログラムであって、
前記通信端末との間の電話回線を接続する接続ステップと、
前記接続ステップにおいて前記通信端末との間の前記電話回線を接続した後、前記通信端末のユーザを認証するための認証情報を、接続した前記電話回線を介して前記通信端末から取得する第一取得ステップと、
前記第一取得ステップにおいて取得した前記認証情報に基づいて、前記通信端末による前記機器の制御が可能か否かを判断する第一判断ステップと、
前記機器を制御するための指示を、前記ＩＰ網を介して前記通信端末から受信する受信ステップと、
前記第一判断ステップにおいて、前記通信端末による前記機器の制御が可能と判断した場合に、前記受信ステップにおいて受信した前記指示に基づき、前記機器を制御する制御ステップと
をコンピュータに実行させるための制御プログラム。
【発明の詳細な説明】
【技術分野】
【０００１】
本発明は、電話網及びＩＰ網を介して通信端末と通信を行うことができる制御装置、制御システム、制御方法、及び制御プログラムに関する。
【背景技術】
【０００２】
宅外の通信端末と宅内の制御装置とが電話網を介して通信を行うことで、通信端末が、制御装置に接続した家電機器を遠隔制御する制御システムが提案されている。例えば特許文献１に記載された制御システムでは、宅外の通信端末（宅外電話機）は、はじめに、宅内の制御装置（電話親機）との間の電話回線を接続する。次いで宅外の通信端末は、接続中の電話回線を使用して制御装置と通信を行う。制御装置は、宅外の通信端末からの指示に基づき、各種家電機器を制御する。
【先行技術文献】
【特許文献】
【０００３】
【特許文献１】特開２００７−１８１０１３号公報
【発明の概要】
【発明が解決しようとする課題】
【０００４】
しかしながら上述の制御システムでは、宅外の通信端末は、宅内の制御装置との間で接続した電話回線を維持しなければ、家電機器を制御することができない。従って、宅外の通信端末が宅内の制御装置を継続して制御する場合、電話回線の使用時間が長くなり、通信料金が高くなってしまうという問題点がある。
【０００５】
本発明の目的は、電話回線の使用時間を短くして通信料金を抑えつつ、宅外の通信端末からの遠隔操作の指示に応じて宅内の機器を制御する制御装置、制御システム、制御方法、及び制御プログラムを提供することにある。
【課題を解決するための手段】
【０００６】
本発明の第一態様に係る制御装置は、ＩＰ網及び電話網を介して通信端末と通信を行い、前記通信端末からの指示に応じて機器を制御する制御装置であって、制御部と、前記制御部への命令を記憶したメモリとを備え、前記命令が実行されることにより、前記通信端末との間の電話回線を接続する接続ステップと、前記接続ステップにおいて前記通信端末との間の前記電話回線を接続した後、前記通信端末のユーザを認証するための認証情報を、接続した前記電話回線を介して前記通信端末から取得する第一取得ステップと、前記第一取得ステップにおいて取得した前記認証情報に基づいて、前記通信端末による前記機器の制御が可能か否かを判断する第一判断ステップと、前記機器を制御するための指示を、前記ＩＰ網を介して前記通信端末から受信する受信ステップと、前記第一判断ステップにおいて前記機器の制御が可能と判断した場合に、前記受信ステップにおいて受信した前記指示に基づき、前記機器を制御する制御ステップとを実行することを特徴とする。
【０００７】
第一態様によれば、制御装置は、通信端末から取得した認証情報に基づいて、通信端末による機器の制御が可能か否かを判断する。制御装置は、通信端末による機器の制御が可能と判断した場合にのみ、通信端末からの指示に応じて機器を制御する。これによって制御装置は、機器への不正なアクセスを防止してセキュリティの向上を図ることができる。また制御装置は、接続された電話回線を介して、通信端末から認証情報を取得する。これによって制御装置は、認証情報を取得する際の通信の秘匿性を高め、認証情報が第三者に漏洩することを防止できる。故に制御装置は、認証情報が不特定の者に使用されて機器が制御されることを防止することで、不特定の者によって機器が制御されてしまうことを防止できる。また制御装置は、ＩＰ網を介して受信した指示に基づき、機器を制御する。認証情報によるユーザの認証後は、電話回線を接続しておく必要がない。従って制御装置は、ユーザの認証の終了後は電話回線を切断することができるので、電話網の使用時間を短くし、通信料金を抑制することができる。
【０００８】
また第一態様において前記制御部は、前記第一判断ステップにおいて、前記通信端末による前記機器の制御が可能と判断した場合に、前記ＩＰ網における前記制御装置のアドレス情報を、前記電話網又は前記ＩＰ網を介して前記通信端末に対して通知する通知ステップを更に実行してもよい。制御装置が通信端末に対してアドレス情報を通知することによって、通信端末は、通知されたアドレス情報を使用してＩＰ網を介した通信を行い、制御装置に対して機器の制御指示を行うことができる。従って、制御装置のアドレス情報を通信端末に対して前もって設定しておく必要がない。また、制御装置のアドレス情報が変化した場合でも、制御装置は正確なアドレス情報を通信端末に対して通知することができる。従って通信端末は、ＩＰ網を介した制御装置との通信を確実に行い、機器を制御することができる。
【０００９】
また第一態様において、前記制御部は、前記通信端末に割り当てられた電話番号を、接続した前記電話回線を介して取得する第二取得ステップと、前記第二取得ステップにおいて取得した前記電話番号に基づいて、前記通信端末による前記機器の制御が可能か否かを判断する第二判断ステップとを更に実行し、前記制御ステップを実行する場合において、前記第二判断ステップにおいて前記機器の制御が可能と判断した場合に、前記機器を制御してもよい。制御装置は、通信端末の電話番号に基づいて、機器の制御が可能な通信端末であるか否かを判断することができる。故に制御装置は、特定の電話番号を有する通信端末からの指示にのみ応じ、機器を制御することができる。制御装置は、機器の制御が可能な通信端末を限定することによって機器への不正なアクセスをより確実に防止できるので、セキュリティ性を更に高めることができる。
【００１０】
また第一態様において、前記制御部は、前記ＩＰ網における前記通信端末のアドレス情報を、前記通信端末から取得する第三取得ステップを更に実行し、前記通知ステップを実行する場合において、前記第三取得ステップにおいて取得した前記アドレス情報を使用し、前記ＩＰ網を介して前記通信端末に対して、前記制御装置のアドレス情報を通知してもよい。制御装置は、取得した通信端末のアドレス情報を使用して、ＩＰ網を介して通信端末と通信を行うことができる。従って制御装置は、通信端末のアドレス情報がわからない場合でも、ＩＰ網２を介した制御装置との通信を開始することができる。また通信端末のアドレス情報が変化した場合でも、正確なアドレス情報を通信端末から取得して使用することができる。従って制御装置は、ＩＰ網を介した通信端末との通信を確実に開始することができる。
【００１１】
また第一態様において、前記制御部は、前記第三取得ステップにおいて取得した前記アドレス情報を用い、前記ＩＰ網を介して前記通信端末と通信を行うことによって、前記通信端末に固有の固有情報を取得する第四取得ステップと、前記第四取得ステップにおいて取得した前記固有情報に基づいて、前記通信端末による前記機器の制御が可能か否かを判断する第三判断ステップとを実行し、前記制御ステップを実行する場合において、前記第三判断ステップにおいて前記機器の制御が可能と判断した場合に、前記機器を制御してもよい。制御装置は、通信端末の固有情報に基づいて、機器の制御が可能な通信端末であるか否かを判断することができる。故に制御装置は、特定の固有情報を有する通信端末からの指示にのみ応じ、機器を制御することができる。故に制御装置は、機器への不正なアクセスをより確実に防止できるので、セキュリティ性を更に高めることができる。
【００１２】
また第一態様において、前記制御部は、前記通信端末の前記固有情報を、接続した前記電話回線を介して取得する第五取得ステップを備え、前記第三判断ステップを実行する場合において、前記第四取得ステップにおいて前記ＩＰ網を介して取得した前記固有情報と、前記第五取得ステップにおいて前記電話回線を介して取得した前記固有情報とが一致する場合に、前記通信端末による前記機器の制御が可能と判断してもよい。制御装置は、電話回線を介して取得した固有情報と、ＩＰ網を介して取得した固有情報を比較することによって、通信端末による機器の制御が可能か否かを判断することができる。故に制御装置は、機器の制御を許可する通信端末を確実に特定することができる。
【００１３】
本発明の第二態様に係る制御システムは、ＩＰ網及び電話網を介して通信を行うことが可能な通信端末と、前記ＩＰ網及び前記電話網を介して前記通信端末と通信を行い、前記通信端末からの指示に応じて機器を制御する制御装置とを備えた制御システムであって、前記制御装置は、制御部と、前記制御部への命令を記憶したメモリとを備え、前記命令が実行されることにより、前記通信端末との間の電話回線を接続する第一接続ステップと、前記第一接続ステップにおいて前記通信端末との間の前記電話回線を接続した後、前記通信端末のユーザを認証するための認証情報を、接続した前記電話回線を介して前記通信端末から取得する第一取得ステップと、前記第一取得ステップにおいて取得した前記認証情報に基づいて、前記通信端末による前記機器の制御が可能か否かを判断する第一判断ステップと、前記機器を制御するための指示を、前記ＩＰ網を介して前記通信端末から受信する受信ステップと、前記第一判断ステップにおいて前記機器の制御が可能と判断した場合に、前記受信ステップにおいて受信した前記指示に基づき、前記機器を制御する制御ステップとを実行し、前記通信端末は、制御部と、前記制御部への命令を記憶したメモリとを備え、前記命令が実行されることにより、前記制御装置との間の電話回線を接続する第二接続ステップと、前記第二接続ステップにおいて前記制御装置との間の前記電話回線を接続した後、前記ユーザから前記認証情報を受け付ける受付ステップと、前記受付ステップにおいて受け付けた前記認証情報を、前記制御装置に対して通知する通知ステップと、前記通知ステップにおいて通知した前記認証情報に基づき、前記制御装置において、前記機器の制御が可能と判断された場合に、前記機器を制御する指示を、前記ＩＰ網を介して前記制御装置に対して送信する送信ステップとを実行することを特徴とする。
【００１４】
第二態様によれば、第一態様に係る制御装置と同様の効果を奏することができる。また通信端末は、制御装置を介して機器を遠隔制御することができる。
【００１５】
本発明の第三態様に係る制御方法は、ＩＰ網及び電話網を介して通信端末と通信を行い、前記通信端末からの指示に応じて機器を制御する制御方法であって、前記通信端末との間の電話回線を接続する接続ステップと、前記接続ステップにおいて前記通信端末との間の前記電話回線を接続した後、前記通信端末のユーザを認証するための認証情報を、接続した前記電話回線を介して前記通信端末から取得する第一取得ステップと、前記第一取得ステップにおいて取得した前記認証情報に基づいて、前記通信端末による前記機器の制御が可能か否かを判断する第一判断ステップと、前記機器を制御するための指示を、前記ＩＰ網を介して前記通信端末から受信する受信ステップと、前記第一判断ステップにおいて前記機器の制御が可能と判断した場合に、前記受信ステップにおいて受信した前記指示に基づき、前記機器を制御する制御ステップとを備えたことを特徴とする。
【００１６】
第三態様によれば、通信端末から取得された認証情報に基づいて、通信端末による機器の制御が可能か否かが判断される。通信端末による機器の制御が可能と判断された場合にのみ、通信端末からの指示に応じて機器が制御される。これによって、機器への不正なアクセスを防止してセキュリティの向上を図ることができる。また、接続された電話回線を介して、通信端末から認証情報が取得される。これによって、認証情報を取得する際の通信の秘匿性を高め、認証情報が第三者に漏洩することを防止できる。従って、認証情報が不特定の者に使用されて機器が制御されることが防止されるので、不特定の者によって制御が制御されてしまうことを防止できる。また、ＩＰ網を介して受信された指示に基づき、機器が制御される。認証情報の認証後は、電話回線を接続しておく必要がない。従って、電話回線が不要な場合に電話回線を切断することができるので、電話網の使用時間を短くし、通信料金を抑制することができる。
【００１７】
本発明の第四態様に係る制御プログラムは、ＩＰ網及び電話網を介して通信端末と通信を行い、前記通信端末からの指示に応じて機器を制御するコンピュータに実行させるための制御プログラムであって、前記通信端末との間の電話回線を接続する接続ステップと、前記接続ステップにおいて前記通信端末との間の前記電話回線を接続した後、前記通信端末のユーザを認証するための認証情報を、接続した前記電話回線を介して前記通信端末から取得する第一取得ステップと、前記第一取得ステップにおいて取得した前記認証情報に基づいて、前記通信端末による前記機器の制御が可能か否かを判断する第一判断ステップと、前記機器を制御するための指示を、前記ＩＰ網を介して前記通信端末から受信する受信ステップと、前記第一判断ステップにおいて、前記通信端末による前記機器の制御が可能と判断した場合に、前記受信ステップにおいて受信した前記指示に基づき、前記機器を制御する制御ステップとをコンピュータに実行させる為のものである。
【００１８】
第四態様によれば、通信端末から取得された認証情報に基づいて、通信端末による機器の制御が可能か否かが判断される。通信端末による機器の制御が可能と判断された場合にのみ、通信端末からの指示に応じて機器が制御される。これによって、機器への不正なアクセスを防止してセキュリティの向上を図ることができる。また、接続された電話回線を介して、通信端末から認証情報が取得される。これによって、認証情報を取得する際の通信の秘匿性を高め、認証情報が第三者に漏洩することを防止できる。故に、認証情報が不特定の者に使用されて機器が制御されることが防止されることで、不特定の者によって制御が制御されてしまうことを防止できる。また、ＩＰ網を介して受信された指示に基づき、機器が制御される。認証情報の認証後は、電話回線を接続しておく必要がない。従って、電話回線が不要な場合に電話回線を切断することができるので、電話網の使用時間を短くし、通信料金を抑制することができる。
【図面の簡単な説明】
【００１９】
【図１】制御システム１０の概要を示す図である。
【図２】制御装置１２の電気的構成を示すブロック図である。
【図３】通信端末１１の電気的構成を示すブロック図である。
【図４】通信シーケンスを示す図である。
【図５】メイン処理（通信端末）を示すフローチャートである。
【図６】メイン処理（通信端末）を示すフローチャートであって、図５の続きである。
【図７】メイン処理（制御装置）を示すフローチャートである。
【図８】メイン処理（制御装置）を示すフローチャートであって、図７の続きである。
【図９】変形例における通信シーケンスを示す図である。
【図１０】変形例におけるメイン処理（通信端末）を示すフローチャートである。
【図１１】変形処理におけるメイン処理（通信端末）を示すフローチャートであって、図１０の続きである。
【図１２】変形例におけるメイン処理（制御装置）を示すフローチャートである。
【図１３】変形例におけるメイン処理（制御装置）を示すフローチャートであって、図１２の続きである。
【発明を実施するための形態】
【００２０】
以下、本発明の一実施形態について、図面を参照して説明する。これらの図面は、本発明が採用しうる技術的特徴を説明するために用いられるものである。記載されている装置の構成、各種処理のフローチャート等は、それのみに限定する趣旨ではなく、単なる説明例である。
【００２１】
図１を参照し、制御システム１０の概要について説明する。制御システム１０は、通信端末１１、及び制御装置１２を備えている。通信端末１１、及び制御装置１２は、ＩＰ網２、及び電話網３を介して接続している。ＩＰ網２は、インターネットプロトコル（ＴＣＰ／ＩＰ）に基づいて通信が行われる通信網である。電話網３は、電話回線が交換機によって接続される通信網である。なお電話網３は、固定電話回線の電話網、及び移動電話回線の電話網を含んでいる。通信端末１１、及び制御装置１２は、ＩＰ網２、及び電話網３を介して通信を行うことができる。
【００２２】
通信端末１１として、ＰＤＡなどの周知の携帯情報端末を使用することができる。制御装置１２には、宅内１に設置された家電機器１３（テレビ、照明、ＰＣなど）が接続されている。制御装置１２は、接続された家電機器１３と通信を行うことによって、家電機器１３の制御（駆動状態のＯＮ／ＯＦＦ切り替えなど）を行うことができる。制御装置１２として、周知の多機能電話機、複合機、サーバ等を使用することができる。
【００２３】
制御装置１２は、ＩＰ網２、及び電話網３を介して通信端末１１と通信を行い、家電機器１３を遠隔制御するための指示を通信端末１１から受信する。制御装置１２は、受信した指示に従い、家電機器１３を制御することができる。これによって通信端末１１の利用者は、通信端末１１を使用することで、宅内１の家電機器１３を宅外から遠隔制御することができる。
【００２４】
図２を参照し、制御装置１２の電気的構成について説明する。制御装置１２は、制御装置１２の制御を司るＣＰＵ２１を備えている。ＣＰＵ２１は、ＲＯＭ２２、ＲＡＭ２３、フラッシュメモリ２４、表示部２５、第一通信Ｉ／Ｆ２６、及び第二通信Ｉ／Ｆ２７と電気的に接続している。
【００２５】
ＲＯＭ２２には、ブートプログラムやＢＩＯＳ、ＯＳ等が記憶される。ＲＡＭ２３には、タイマやカウンタ、一時的なデータが記憶される。フラッシュメモリ２４には、ＣＰＵ２１の制御プログラムが記憶される。またフラッシュメモリ２４には、遠隔制御を許可する通信端末１１の電話番号、及び、遠隔制御を許可する利用者のパスワードのリストが記憶されている。以下、遠隔制御を許可する通信端末１１の電話番号、及び、遠隔制御を許可する利用者のパスワードのリストを、許可リストという。第一通信Ｉ／Ｆ２６は、ＩＰ網２を介して通信端末１１と通信を行う場合のタイミング制御を行う。第二通信Ｉ／Ｆ２７は、電話網３を介して通信端末１１と通信を行う場合のタイミング制御を行う。
【００２６】
図３を参照し、通信端末１１の電気的構成について説明する。通信端末１１は、通信端末１１の制御を司るＣＰＵ３１を備えている。ＣＰＵ３１は、ＲＯＭ３２、ＲＡＭ３３、フラッシュメモリ３４、スピーカ３５、マイク３６、表示部３７、入力部３８、第一通信Ｉ／Ｆ３９、及び第二通信Ｉ／Ｆ４０と電気的に接続している。ＲＯＭ３２には、ブートプログラムやＢＩＯＳ、ＯＳ等が記憶される。ＲＡＭ３３には、タイマやカウンタ、一時的なデータが記憶される。フラッシュメモリ３４には、ＣＰＵ３１の制御プログラムが記憶される。表示部３７はディスプレイである。入力部３８はボタンやタッチパネルである。第一通信Ｉ／Ｆ３９は、ＩＰ網２を介して制御装置１２と通信を行う場合のタイミング制御を行う。第二通信Ｉ／Ｆ４０は、電話網３を介して制御装置１２と通信を行う場合のタイミング制御を行う。
【００２７】
図４を参照し、通信端末１１、制御装置１２、及び家電機器１３の間で実行される通信のシーケンスについて説明する。通信端末１１の利用者は、家電機器１３の遠隔制御を開始する為に、制御装置１２の電話番号宛に電話を掛ける操作を、入力部３８を介して行う。通信端末１１は、制御装置１２との間の電話回線の接続を要求する信号を送信する。以下、電話回線の接続を要求する信号を、接続要求信号という。制御装置１２は、接続要求信号を受信する（Ｓ１１）。
【００２８】
制御装置１２は、受信した接続要求信号から、通信端末１１の電話番号を特定する。制御装置１２は、フラッシュメモリ２４に記憶された許可リストに、特定された電話番号が格納されているかを判断することで、通信端末１１を認証する（Ｓ１３）。特定された電話番号が許可リストに格納されている場合、通信端末１１による家電機器１３の遠隔制御は許可される。一方、特定された電話番号が許可リストに格納されていない場合、通信端末１１による家電機器１３の遠隔制御は禁止される。
【００２９】
通信端末１１による家電機器１３の遠隔制御が禁止された場合、制御装置１２は、図示外の通話親機を制御してスピーカから呼び出し音を出力させ、着信したことを利用者に通知する。以後、通信端末と通話親機との間で通話が実行可能となる。
【００３０】
一方、通信端末１１による家電機器１３の遠隔制御が許可されたとする。制御装置１２は、オフフックすることで、接続要求信号に応じる（Ｓ１５）。制御装置１２から通信端末１１に対して、電話回線の接続を許可する旨の応答信号が送信される。以下、電話回線の接続を許可する旨の応答信号を、接続応答信号という。通信端末１１は、接続応答信号を受信する（Ｓ１７）。これによって、通信端末１１と制御装置１２との間の電話回線は接続する。
【００３１】
通信端末１１と制御装置１２とは、接続された電話回線を介した通信を開始する。はじめに制御装置１２は、自動音声応答機能（ＩＶＲ（Interactive Voice Response））を使用し、通信端末１１に対して所定音声を自動送信する。所定音声は、通信端末１１の利用者に対して、パスワード（ＰＷ）を問い合わせる音声（例えば「パスワードを入力してください」など）である。通信端末１１は、所定音声を受信する（Ｓ１９）。通信端末１１は、受信した所定音声をスピーカ３５から出力する。
【００３２】
通信端末１１の利用者は、スピーカ３５から出力される所定音声に応じ、入力部３８を介してパスワードを入力する（Ｓ２１）。通信端末１１は、入力されたパスワードを通知するためのＤＴＭＦ（Dual-Tone Multi-Frequency）信号を、制御装置１２に対して送信する。制御装置１２は、パスワードを通知するためのＤＴＭＦ信号を受信する（Ｓ２３）。
【００３３】
制御装置１２は、受信したＤＴＭＦ信号から、通信端末１１の利用者によって入力されたパスワードを特定する。制御装置１２は、フラッシュメモリ２４に記憶された許可リストに、特定されたパスワードが格納されているかを判断することで、通信端末１１を認証する（Ｓ２５）。特定されたパスワードが許可リストに格納されていない場合、通信端末１１による家電機器１３の遠隔操作は禁止され、通信端末１１と制御装置１２との間の電話回線は切断される。
【００３４】
特定されたパスワードが許可リストに格納されている場合、通信端末１１による家電機器１３の遠隔操作は許可される。制御装置１２は、自身のＩＰアドレスを通知するためのＤＴＭＦ信号を、通信端末１１に対して送信する。通信端末１１は、ＩＰアドレスを通知するためのＤＴＭＦ信号を受信する（Ｓ２７）。通信端末１１は、受信したＤＴＭＦ信号から、制御装置１２のＩＰアドレスを特定する。
【００３５】
通信端末１１は、オンフックする（Ｓ２９）ことで、接続中の電話回線を切断する。通信端末１１から制御装置１２に対して、回線の切断を通知する旨の信号が送信される。以下、回線の切断を通知する旨の信号を、切断通知信号という。制御装置１２は、切断通知信号を受信する（Ｓ３１）。Ｓ１７の通信で接続した通信端末１１と制御装置１２との間の電話回線は、切断される。
【００３６】
続いて通信端末１１及び制御装置１２は、ＩＰ網２を介した通信を開始する。通信端末１１は、ＩＰ網２を介したセッションの確立を要求する信号を、制御装置１２に対して送信する。以下、セッションの確立を要求する信号を、確立要求信号という。確立要求信号は、Ｓ２７で受信されたＤＴＭＦ信号から特定されたＩＰアドレス宛に送信される。制御装置１２は、確立要求信号を受信する（Ｓ３３）。制御装置１２は、セッションの確立を許可する旨の応答信号を、通信端末１１に対して送信する。以下、セッションの確立を許可する旨の応答信号を、確立応答信号という。通信端末１１は、確立応答信号を受信する（Ｓ３５）。通信端末１１と制御装置１２との間でセッションは確立し、双方がＩＰ網２を介して互いに通信を行うことが可能な状態になる。
【００３７】
通信端末１１と制御装置１２とは、確立されたセッションを介して以下の通信を行う。はじめに制御装置１２は、通信端末１１の表示部３７に表示させる所定画像のデータを、通信端末１１に対して送信する。所定画像は、遠隔制御を望む家電機器１３の種別、及び制御内容を、通信端末１１の利用者に選択させるためのユーザインタフェース（ＵＩ）画像である。通信端末１１は、ＵＩ画像のデータを受信する（Ｓ３７）。通信端末１１は、受信したＵＩ画像を表示部３７に表示する。
【００３８】
通信端末１１の利用者は、表示部３７に表示されたＵＩ画像に従い、遠隔制御を望む家電機器１３の種別、及び制御内容を、入力部３８を介して入力する（Ｓ３９）。通信端末１１は、入力された家電機器１３の種別、及び制御内容を、制御装置１２に対して送信する。制御装置１２は、家電機器１３の種別、及び制御内容を受信する（Ｓ４１）。制御装置１２は、受信した種別の家電機器１３を、受信した制御内容に基づいて制御する（Ｓ４３）。以上の通信を経て、通信端末１１の利用者は、宅内１にある家電機器１３を遠隔制御することができる。
【００３９】
以上のように制御装置１２は、電話番号及びパスワードの両方を用いた認証処理を行うので、遠隔制御を許可する通信端末１１を確実に特定することができる。また、認証後は即座に電話回線が切断され、家電機器１３の制御のための通信は、ＩＰ網２を介して実行される。これによって、電話回線の使用時間を抑制できるので、発生する通話料金を低く抑えることができる。
【００４０】
図５及び図６を参照し、通信端末１１のＣＰＵ３１において実行されるメイン処理（通信端末）について説明する。メイン処理（通信端末）は、通信端末１１の電源が投入された場合に、ＣＰＵ３１において起動され実行される。
【００４１】
図５に示すように、家電機器１３の遠隔制御を開始する指示が、制御装置１２の電話番号と共に入力部３８を介して入力されたかが判断される（Ｓ１１１）。家電機器１３の遠隔制御を開始する指示が入力されていない場合（Ｓ１１１：ＮＯ）、処理はＳ１１１に戻る。
【００４２】
家電機器１３の遠隔制御を開始する指示が入力された場合（Ｓ１１１：ＹＥＳ）。指示とともに入力された電話番号宛に、接続要求信号が送信される（Ｓ１１３）。送信された接続要求信号に応じ、制御装置１２から送信される接続応答信号を受信したかが判断される（Ｓ１１５）。所定時間経過後も接続応答信号が受信されない場合（Ｓ１１５：ＮＯ）、制御装置１２において家電機器１３の遠隔制御が禁止された可能性がある。この場合、制御装置１２に接続した通話親機との間で周知の通話処理が実行される（Ｓ１３７）。通話処理の終了後、処理はＳ１１１に戻る。
【００４３】
Ｓ１１３で接続要求信号を送信した後、所定時間内に制御装置１２から接続応答信号を受信した場合（Ｓ１１５：ＹＥＳ）、制御装置１２との間の電話回線は接続する。制御装置１２との間で、接続した電話回線を介した通信が開始される。制御装置１２から送信された、パスワードを問い合わせるための音声（例えば「パスワードを入力してください」など）が受信される（Ｓ１１６）。受信された音声は、スピーカ３５から出力される（Ｓ１１６）。通信端末１１の利用者は、スピーカ３５から出力される音声に応じ、入力部３８を介してパスワードを入力する。入力されたパスワードが受け付けられる（Ｓ１１７）。受け付けられたパスワードを通知するためのＤＴＭＦ信号が作成され、制御装置１２に対して送信される（Ｓ１１９）。
【００４４】
ＩＰアドレスを通知するためのＤＴＭＦ信号の受信が監視される（Ｓ１２１）。Ｓ１１９でＤＴＭＦ信号を送信してから所定時間経過後もＤＴＭＦ信号が受信されない場合（Ｓ１２１：ＮＯ）、制御装置１２において家電機器１３の制御が禁止されたことになる。この場合、制御装置１２から送信される切断通知信号が受信される（Ｓ１３５）。接続中の電話回線は切断され（Ｓ１３５）、処理はＳ１１１に戻る。
【００４５】
一方、制御装置１２から送信されたＤＴＭＦ信号が所定時間内に受信された場合（Ｓ１２１：ＹＥＳ）、受信されたＤＴＭＦ信号からＩＰアドレスが特定される（Ｓ１２３）。オンフックすることで、制御装置１２に対して切断通知信号が送信される（Ｓ１２５）。これによって、接続中の電話回線は切断される。なお、特定されたＩＰアドレスは、後述するＩＰ網２を介した通信時において、制御装置１２のＩＰアドレスとして使用される。このように通信端末１１は、電話網３を介した通信によって制御装置１２のＩＰアドレスを取得できる。従って、制御装置１２のＩＰアドレスわからない場合や、制御装置１２のＩＰアドレスが頻繁に変更される場合でも、制御装置１２のＩＰアドレスを正確に特定することができる。従って通信端末１１は、ＩＰ網２を介した制御装置１２との通信を確実に開始させることができる。
【００４６】
制御装置１２との間で、ＩＰ網２を介した通信が開始される。図６に示すように、制御装置１２に対して確立要求信号が送信される（Ｓ１２７）。確立要求信号に応じて制御装置１２から送信される確立応答信号が受信され（Ｓ１２８）、制御装置１２との間のセッションは確立する。制御装置１２から送信されたＵＩ画像が受信される（Ｓ１２９）。受信されたＵＩ画像は、表示部３７に表示される（Ｓ１２９）。
【００４７】
通信端末１１の利用者は、表示部３７に表示されたＵＩ画像に従い、遠隔制御を望む家電機器１３及び制御内容を、入力部３８を介して入力する。入力された家電機器１３の種別及び制御内容が受け付けられる（Ｓ１３１）。家電機器１３の種別及び制御内容は、制御装置１２に対して送信される（Ｓ１３３）。これによって、制御装置１２において家電機器１３の制御が実行される。
【００４８】
家電機器１３の制御を終了する指示が、入力部３８を介して入力されたかが判断される（Ｓ１３９）。家電機器１３の制御を終了する指示が入力された場合（Ｓ１３９：ＹＥＳ）、家電機器１３の制御を終了させる終了通知信号が、制御装置１２に対して送信される（Ｓ１４０）。確立中のセッションは終了され、処理はＳ１１１（図５参照）に戻る。家電機器１３の制御を終了させる指示が入力されていない場合（Ｓ１３９：ＮＯ）、処理はＳ１３１に戻る。家電機器１３の制御は継続して実行される。
【００４９】
以上のように通信端末１１は、制御装置１２を介して家電機器１３の遠隔制御を行うことができるようになる。通信端末１１は、電話網３を介して取得した制御装置１２のＩＰアドレスを使用して制御装置１２と確実に通信を行うことができるので、家電機器１３の制御を確実に行うことができる。
【００５０】
通信端末１１は、制御装置１２による認証が終了した時点で、即座に電話回線を切断する。家電機器１３の遠隔制御は、ＩＰ網２を介して実行される。従って、電話回線の使用料金を低く抑えることができる。
【００５１】
図７及び図８を参照し、制御装置１２のＣＰＵ２１において実行されるメイン処理（制御装置）について説明する。メイン処理（制御装置）は、制御装置１２の電源が投入された場合に、ＣＰＵ２１において起動され実行される。
【００５２】
図７に示すように、接続要求信号の受信が監視される（Ｓ１４１）。接続要求信号が受信されていない場合（Ｓ１４１：ＮＯ）、処理はＳ１４１に戻る。接続要求信号が受信された場合、（Ｓ１４１：ＹＥＳ）、受信された接続要求信号に基づき、接続要求信号を送信した通信端末１１の電話番号が特定される（Ｓ１４２）。特定された電話番号に基づいて、通信端末１１による家電機器１３の遠隔制御を許可するか否かが判断される（Ｓ１４３）。特定された電話番号が、フラッシュメモリ２４に記憶された許可テーブルに格納されていない場合、通信端末１１による家電機器１３の遠隔制御は禁止される（Ｓ１４３：ＮＯ）、この場合、通話親機と通信端末１１との間の通話動作を仲介することで、周知の通話処理が実行される（Ｓ１６５）。このように制御システム１０では、通信端末１１による家電機器１３の制御が制御装置１２において禁止された場合でも、通信端末１１は宅内１にいる者と通話を行うことができる。通話処理の終了後、処理はＳ１４１に戻る。
【００５３】
一方、特定された電話番号が許可テーブルに格納されている場合、通信端末１１による家電機器１３の遠隔制御は許可される（Ｓ１４３：ＹＥＳ）。受信された接続要求信号に応じ、オフフックされる（Ｓ１４５）。接続要求信号を送信した通信端末１１に対して、接続応答信号が送信される（Ｓ１４５）。これによって通信端末１１との間の電話回線は接続する。
【００５４】
通信端末１１との間で、接続した電話回線を介した通信が開始される。ＩＶＲを使用し、パスワードを問い合わせる音声が通信端末１１に対して送信される（Ｓ１４７）。音声の送信後、パスワードを通知するためのＤＴＭＦ信号が受信される（Ｓ１４９）。受信されたＤＴＭＦ信号に基づいてパスワードが特定される。特定されたパスワードに基づいて、通信端末１１による家電機器１３の遠隔制御を許可するか否かが判断される（Ｓ１５１）。特定されたパスワードが、フラッシュメモリ２４に記憶された許可テーブルに格納されていない場合、通信端末１１による家電機器１３の遠隔制御は禁止される（Ｓ１５１：ＮＯ）。この場合、オンフックすることで、通信端末１１に対して切断通知信号が送信される（Ｓ１６７）。接続中の電話回線は切断される。処理はＳ１４１に戻る。
【００５５】
一方、特定されたパスワードが許可テーブルに格納されている場合、通信端末１１による家電機器１３の遠隔制御は許可される（Ｓ１５１：ＹＥＳ）。ＩＰアドレスを通知するためのＤＴＭＦ信号が作成され、通信端末１１に対して送信される（Ｓ１５３）。ＩＰアドレスの通知は、ＩＰ網２を介して通信端末１１が制御装置１２との通信を行えるようにするために実行される。これによって、制御装置１２のＩＰアドレスが通信端末１１に設定されていない場合や、制御装置１２のＩＰアドレスが頻繁に変更される場合でも、通信端末１１は、制御装置１２と通信を行うことで家電機器１３の遠隔制御が可能となる。
【００５６】
通信端末１１から送信される切断通知信号が受信される（Ｓ１５５）。接続中の電話回線は切断される（Ｓ１５５）。このように、通信端末１１の認証が終了した場合、電話回線は即座に切断される。これによって通話料金を抑制している。
【００５７】
通信端末１１との間で、ＩＰ網２を介した通信が開始される。図８に示すように、確立要求信号の受信が監視される（Ｓ１５７）。電話回線の切断後、所定時間経過後も確立要求信号が受信されない場合（Ｓ１５７：ＮＯ）、処理はＳ１４１（図７参照）に戻る。所定時間内に通信端末１１から確立要求信号を受信した場合（Ｓ１５７：ＹＥＳ）、確立要求信号を送信した通信端末１１に対して、確立応答信号が送信される（Ｓ１５８）。これによって、通信端末１１との間のセッションは確立する。通信端末１１の表示部３７に表示させるＵＩ画像が、通信端末１１に対して送信される（Ｓ１５９）。
【００５８】
通信端末１１の利用者は、表示部３７に表示されたＵＩ画像に従い、遠隔制御を望む家電機器１３及び制御内容を通信端末１１に入力する。通信端末１１から送信される家電機器１３の種別及び制御内容が受信される（Ｓ１６１）。受信された種別の家電機器１３は、受信された制御内容で制御される（Ｓ１６３）。通信端末１１による家電機器１３の制御が終了したか否かが判断される（Ｓ１６８）。通信端末１１から送信された終了通知信号が受信された場合（Ｓ１６８：ＹＥＳ）、通信端末１１における家電機器１３の遠隔制御は終了したことになる。確立中のセッションは終了され、処理はＳ１４１（図７参照）に戻る。一方、終了通知信号が受信されていない場合（Ｓ１６８：ＮＯ）、処理はＳ１６１に戻る。通信端末１１による家電機器１３の制御は継続される。
【００５９】
以上説明したように、制御装置１２は、通信端末１１から取得したパスワード及び電話番号に基づいて、通信端末１１による家電機器１３の遠隔制御が可能か否かを判断する。電話番号及びパスワードの両方が条件を満たしている場合にのみ、家電機器１３の遠隔制御を許可する。これによって制御装置１２は、家電機器１３への不正なアクセスを防止してセキュリティの向上を図ることができる。
【００６０】
制御装置１２は、通信端末１１の利用者によって入力されたパスワードに基づいて認証を行うことによって、家電機器１３の遠隔制御が可能な利用者を限定することができる。また、通信端末１１の電話番号に基づいて認証を行うことによって、家電機器１３の遠隔制御が可能な通信端末１１を限定することができる。これによって制御装置１２は、家電機器１３への不正なアクセスをより確実に防止でき、セキュリティ性を更に高めることができる。
【００６１】
制御装置１２は、接続された電話回線を介して、通信端末１１からパスワードを取得する。電話網３を介した通信は、他の通信路を介した一般的な通信（例えばインターネットなどのＩＰ網２）と比較して秘匿性が高い。従って制御装置１２は、パスワードが第三者に漏洩することを高い確率で防止することができる。制御装置１２は、パスワードが不特定の者に使用されて家電機器１３が制御されることを防止することで、不特定の者によって家電機器１３が制御されてしまうことを防止できる。
【００６２】
制御装置１２は、ＩＰ網２を介して受信した指示に基づき、家電機器１３を制御することができる。パスワード及び電話番号による利用者の認証後は、電話回線を切断することができる。従って制御装置１２は、電話網３の使用時間を短くし、通信料金を抑制することができる。
【００６３】
なお、本発明は上述の実施形態に限定されず、種々の変更が可能である。以下、本発明の変形例について説明する。変形例では、電話番号、及びパスワードに加えて、通信端末１１のＭＡＣアドレスによって通信端末１１を認証することができる。上述した実施形態と同一の処理については、上述した符号と同一符号を付し、説明を省略又は簡略化する。
【００６４】
図９を参照し、通信端末１１、制御装置１２、及び家電機器１３の間で実行される通信のシーケンスについて説明する。図４で示した通信シーケンスと異なる点は以下のとおりである。図４で、制御装置１２から通信端末１１に対してＤＴＭＦ信号によるＩＰアドレスの通知が行われる（Ｓ２７、図４参照）代わりに、通信端末１１から制御装置１２に対して、ＤＴＭＦ信号によるＭＡＣアドレスの通知（Ｓ５１）及びＩＰアドレスの通知（Ｓ５２）が行われる。また、通信端末１１と制御装置１２との間でＩＰ網２を介したセッションを確立させるための確立要求信号は、制御装置１２から通信端末１１に対して送信される（Ｓ５３）。制御装置１２は、Ｓ５２で通信端末１１から通知されたＩＰアドレスによって、確立要求信号の宛先を特定することができる。通信端末１１から制御装置１２に対して、確立応答信号が送信される（Ｓ５４）。更に制御装置１２は、Ｓ５１で通信端末１１から通知されたＭＡＣアドレスと、Ｓ５４で受信した確立応答信号の送信元のＭＡＣアドレスとを比較することによって、通信端末１１による家電機器１３の遠隔制御を許可するか否かを判断する（Ｓ５５）。これによって制御装置１２は、より厳格に、家電機器１３への遠隔制御を許可する通信端末１１を特定することができる。従って、制御システム１０のセキュリティを更に向上させることができる。
【００６５】
図１０及び図１１を参照し、変形例におけるメイン処理（通信端末）について説明する。図１０に示すように、家電機器１３の遠隔制御を開始する指示が入力された場合（Ｓ１１１：ＹＥＳ）、制御装置１２の電話番号宛に接続要求信号が送信される（Ｓ１１３）。制御装置１２から接続応答信号が受信された場合（Ｓ１１５：ＹＥＳ）、制御装置１２との間の電話回線は接続する。制御装置１２との間で、接続した電話回線を介した通信が開始される。パスワードを問い合わせるための音声が受信され、スピーカ３５から出力される（Ｓ１１６）。利用者によって入力されたパスワードが受け付けられる（Ｓ１１７）。受け付けられたパスワードを通知するためのＤＴＭＦ信号が、制御装置１２に対して送信される（Ｓ１１９）。
【００６６】
通信端末１１のＭＡＣアドレスを通知するためのＤＴＭＦ信号が作成され、制御装置１２に対して送信される（Ｓ１７０）。ＭＡＣアドレスは、制御装置１２において家電機器１３の遠隔制御を許可するか否かを判断する場合に使用される。通信端末１１のＩＰアドレスを通知するためのＤＴＭＦ信号が作成され、制御装置１２に対して送信される（Ｓ１７１）。ＩＰアドレスは、制御装置１２がＩＰ網２を介して通信端末１１と通信を行う場合に使用される。オンフックすることで、制御装置１２に対して切断通知信号が送信される（Ｓ１７３）。これによって、接続中の電話回線は切断される。
【００６７】
制御装置１２との間でＩＰ網２を介した通信が開始される。図１１に示すように、確立要求信号の受信が監視される（Ｓ１７５）。電話回線が切断されてから所定時間経過後も、確立要求信号が受信されない場合（Ｓ１７５：ＮＯ）、制御装置１２において家電機器１３の制御が禁止された可能性がある。この場合、処理はＳ１１１（図１０参照）に戻る。
【００６８】
電話回線が切断されてから所定時間内に、制御装置１２から確立要求信号が受信された場合（Ｓ１７５：ＹＥＳ）、確立要求信号の送信元ＩＰアドレスが、制御装置１２のＩＰアドレスとして特定される。特定されたＩＰアドレスが使用され、制御装置１２に対して確立応答信号が送信される（Ｓ１７６）。これによって、制御装置１２との間のセッションは確立する。制御装置１２から送信されたＵＩ画像が受信される（Ｓ１２９）。受信されたＵＩ画像は、表示部３７に表示される（Ｓ１２９）。
【００６９】
利用者によって入力された家電機器１３の種別及び制御内容が受け付けられる（Ｓ１３１）。家電機器１３の種別及び制御内容は、制御装置１２に対して送信される（Ｓ１３３）。家電機器１３は、制御内容に基づいて制御される。家電機器１３の制御を終了する指示が入力された場合（Ｓ１３９：ＹＥＳ）、家電機器１３の制御を終了させる終了通知信号が制御装置１２に対して送信される（Ｓ１４０）。確立中のセッションは終了され、処理はＳ１１１（図１０参照）に戻る。
【００７０】
図１２及び図１３を参照し、変形例におけるメイン処理（制御装置）について説明する。図１２に示すように、通信端末１１から送信された接続要求信号が受信された場合、（Ｓ１４１：ＹＥＳ）、接続要求信号を送信した通信端末１１の電話番号が取得される（Ｓ１４２）。取得された電話番号に基づいて、通信端末１１による家電機器１３の遠隔制御を許可するか否かが判断される（Ｓ１４３）。遠隔制御が許可された場合（Ｓ１４３：ＹＥＳ）、接続要求信号に応じてオフフックされ（Ｓ１４５）、接続要求信号を送信した通信端末１１に対して接続応答信号が送信される（Ｓ１４５）。通信端末１１との間の電話回線は接続する。
【００７１】
通信端末１１との間で、接続した電話回線を介した通信が開始される。パスワードを問い合わせる音声が通信端末１１に対して送信される（Ｓ１４７）。パスワードを通知するためのＤＴＭＦ信号が受信される（Ｓ１４９）。受信されたＤＴＭＦ信号に基づいてパスワードが特定される。特定されたパスワードに基づいて、通信端末１１による家電機器１３の遠隔制御を許可するか否かが判断される（Ｓ１５１）。遠隔制御が許可された場合（Ｓ１５１：ＹＥＳ）、ＭＡＣアドレスを通知するためのＤＴＭＦ信号が受信される（Ｓ１８０）。受信されたＤＴＭＦ信号から、通信端末１１のＭＡＣアドレスが特定される。ＩＰアドレスを通知するためのＤＴＭＦ信号が受信される（Ｓ１８１）。受信されたＤＴＭＦ信号から、通信端末１１のＩＰアドレスが特定される。通信端末１１から送信される切断通知信号が受信され（Ｓ１８３）、接続中の電話回線は切断される（Ｓ１８３）。
【００７２】
通信端末１１との間で、ＩＰ網２を介した通信が開始される。Ｓ１８１で受信されたＤＴＭＦ信号に基づいて、通信端末のＩＰアドレスが特定される。図１３に示すように、特定されたＩＰアドレスが使用され、通信端末１１に対して確立要求信号が送信される（Ｓ１８５）。このように制御装置１２は、電話網３を介して通信端末１１から取得したＩＰアドレスを使用することによって、ＩＰ網２を介した通信端末１１と通信を行うことができる。ここで、確立要求信号には送信元ＩＰアドレスが格納されるので、制御装置１２のＩＰアドレスは確立要求信号によって通信端末１１に対して通知されることになる。確立要求信号に応じて通信端末１１から送信される確立応答信号が受信される（Ｓ１８７）。これによって、通信端末１１との間のセッションは確立する。
【００７３】
受信された確立応答信号の送信元ＭＡＣアドレスが、通信端末１１のＭＡＣアドレスとして特定される。特定されたＭＡＣアドレスと、Ｓ１８０（図１２参照）において受信されたＤＴＭＦ信号に基づいて特定されたＭＡＣアドレスとが比較されることで、通信端末１１による家電機器１３の遠隔制御を許可するか否かが判断される（Ｓ１８９）。ＭＡＣアドレスが相違する場合、Ｓ１８０（図１２参照）で受信されたＤＴＭＦ信号を送信した通信端末１１と、Ｓ１８７で受信された確立応答信号を送信した通信端末１１とが相違する可能性がある。この場合、通信端末１１による家電機器１３の遠隔制御は禁止される（Ｓ１８９：ＮＯ）。処理はＳ１４１（図１２参照）に戻る。
【００７４】
一方、ＭＡＣアドレスが一致する場合、Ｓ１８０（図１２参照）で受信されたＤＴＭＦ信号を送信した通信端末１１と、Ｓ１８７で受信された確立応答信号を送信した通信端末１１とは一致する。通信端末１１による家電機器１３の遠隔制御は許可される（Ｓ１８９：ＹＥＳ）。このように制御装置１２では、電話網３を介して取得したＭＡＣアドレスと、ＩＰ網２を介して取得したＭＡＣアドレスとを比較し、家電機器１３の遠隔制御が可能か否かを判断する。これによって制御装置１２は、電話網３を介して通信を行った通信端末１１と、ＩＰ網２を介して通信を行った通信端末１１とが同一であるを判断することができる。電話番号及びパスワードによって認証を行った通信端末１１と、ＩＰ網２を介して家電機器１３の制御を行おうとしている通信端末１１とが一致するか否かを判断することができる。よって制御装置１２は、遠隔制御を許可する通信端末１１を更に確実に特定することができる。
【００７５】
通信端末１１の表示部３７に表示させるＵＩ画像が、通信端末１１に対して送信される（Ｓ１５９）。通信端末１１の利用者によって通信端末１１に入力された家電機器１３の種別及び制御内容が受信される（Ｓ１６１）。受信された種別の家電機器１３は、受信された制御内容で制御される（Ｓ１６３）。通信端末１１から送信された終了通知信号が受信された場合（Ｓ１６８：ＹＥＳ）、確立中のセッションは終了され、処理はＳ１４１（図１２参照）に戻る。
【００７６】
以上説明したように、変形例では、制御装置１２は、電話網３を介して取得した通信端末１１のＩＰアドレス情報を使用することで、通信端末１１のアドレス情報がわからない場合でも、通信端末１１とＩＰ網２を介した通信を開始できる。また制御装置１２は、通信端末１１のアドレス情報が変化した場合でも、正確なアドレス情報を通信端末１１から取得できるので、ＩＰ網２を介した通信端末１１との通信を確実に開始することができる。
【００７７】
また制御装置１２は、電話網３を介して取得したＭＡＣアドレスと、ＩＰ網２を介して取得したＭＡＣアドレスとを比較することによって、家電機器１３の制御を許可する通信端末１１を更に確実に特定することができる。
【００７８】
さらに制御装置１２は、通信端末１１のＭＡＣアドレスに基づいて通信端末１１を認証することで、家電機器１３の遠隔制御が可能な通信端末１１を１台のみに限定することができる。従って制御装置１２は、家電機器１３への不正なアクセスを更に確実に防止することができる。
【００７９】
なお、Ｓ１４５の処理が本発明の「接続ステップ」「第一接続ステップ」に相当する。Ｓ１４９の処理が本発明の「第一取得ステップ」に相当する。Ｓ１５１の処理が本発明の「第一判断ステップ」に相当する。Ｓ１６１の処理が本発明の「受信ステップ」に相当する。Ｓ１６３の処理が本発明の「制御ステップ」に相当する。Ｓ１５３、及びＳ１８５の処理が本発明の「通知ステップ」に相当する。Ｓ１４２の処理が本発明の「第二取得ステップ」に相当する。Ｓ１４３の処理が本発明の「第二判断ステップ」に相当する。Ｓ１８１の処理が本発明の「第三取得ステップ」に相当する。Ｓ１８７の処理が本発明の「第四取得ステップ」に相当する。Ｓ１８９の処理が本発明の「第三判断ステップ」に相当する。Ｓ１８０の処理が本発明の「第五取得ステップ」に相当する。
【００８０】
Ｓ１１５の処理が本発明の「第二接続ステップ」に相当する。Ｓ１１７の処理が本発明の「受付ステップ」に相当する。Ｓ１１９の処理が本発明の「通知ステップ」に相当する。Ｓ１３３の処理が本発明の「送信手段」に相当する。
【００８１】
上述の実施形態及び変形例では、制御装置１２と家電機器１３とが接続され、制御装置１２によって家電機器１３の制御が行われていたが、本発明はこれに限定されない。家電機器１３を制御する専用機器が、制御装置１２と家電機器１３との間に介在していてもよい。制御装置１２は、専用機器を制御することによって間接的に家電機器１３を制御してもよい。また制御装置１２は、家電機器１３に直接組み込まれていてもよい。
【００８２】
上述では、制御装置１２は、フラッシュメモリ２４に記憶された許可リストにパスワード及び電話番号が格納されているか否かによって、通信端末１１による家電機器１３の遠隔制御を許可するか否かを判断していた。本発明はこれに限定されない。制御装置１２は、周知の認証プロトコルを利用することによって、遠隔制御を許可するか否かを判断してもよい。例えば制御装置１２は、ユーザＩＤとパスワードの組み合わせを用いることで、遠隔制御を許可するか否かを判断してもよい。また制御装置１２は、ＩＰ網２に接続した認証用のサーバに、受信したパスワードや電話番号をキーとして問い合わせることによって、家電機器１３の遠隔制御を許可するか否かを判断してもよい。
【００８３】
例えば制御装置１２は、電話網３を介して通信端末１１に対して鍵情報を送信してもよい。通信端末１１は、電話網３を介して受信した鍵情報を使用してパスワードを暗号化し、電話網３又はＩＰ網２を介して暗号化されたパスワードを制御装置１２に対して送信してもよい。制御装置１２は、暗号化されたパスワードを復号化し、復号化されたパスワードに基づいて、遠隔制御が可能か否かを判断してもよい。これによって、パスワードの通信の秘匿性を更に高めることができる。
【００８４】
上述では、制御装置１２は電話網３を介して通信端末１１に対して自身のＩＰアドレスを通知していた。本発明はこれに限定されない。制御装置１２は、通信端末１１とのセッションの確立後、ＩＰ網２を介して自身のＩＰアドレスを通信端末１１に対して通知してもよい。
【００８５】
ＩＰ網２を介した通信を開始する際、周知の呼制御通信のプロトコルが利用されてもよい。例えばSession Initiation Protocol（ＳＩＰ）が利用されてもよい。
【００８６】
上述では、通信端末１１から制御装置１２を介して家電機器１３の駆動制御が行われていたが、本発明はこれに限定されない。通信端末１１は、制御装置１２を介して家電機器１３の駆動状態を受信できるようにしてもよい。
【符号の説明】
【００８７】
２      ＩＰ網
３      電話網
１０    制御システム
１１    通信端末
１２    制御装置
１３    家電機器
２１、３１  ＣＰＵ
【図１】
2012160799.tif 000003
【図２】
2012160799.tif 000004
【図３】
2012160799.tif 000005
【図４】
2012160799.tif 000006
【図５】
2012160799.tif 000007
【図６】
2012160799.tif 000008
【図７】
2012160799.tif 000009
【図８】
2012160799.tif 000010
【図９】
2012160799.tif 000011
【図１０】
2012160799.tif 000012
【図１１】
2012160799.tif 000013
【図１２】
2012160799.tif 000014
【図１３】
2012160799.tif 000015